(57)【要約】      （修正有）【課題】長方形の底板の４周を、枠囲いして上方開口した塵芥収納部１０を主要部に成し、塵芥収納部１０の上方開口部に、塵芥収納部１０の前後方向に分割されて相互の重合姿勢と連続姿勢が可能の可動蓋板群１１Ａ〜１１Ｄを設け、その可動蓋板群によって前記上方開口部の全閉鎖を可能に成す構造のコンテナ式塵芥車用コンテナにおいて、塵芥収納部１０への塵芥の搬入路となる前枠板３の開放部分からの雨水の降り込みによる塵芥の汚濁化と、それによる公害の防止を図る。【解決手段】可動蓋板群１１の最内側にして前枠板３部位に覆設する可動蓋板１１Ｄの内側に重合してスライド自在に支承され、塵芥収納部１０の塵芥搬入路側への引き出しセットと前記最内側の可動蓋板１１Ｄへの重合収納を可能にした「防雨補助板２１つき防雨庇板１８」を設けた。【選択図】図１
0003113811.tif 000002
【実用新案登録請求の範囲】
【請求項１】
長方形の底板の４周を、ドア形態の前枠板と右側枠板と左側枠板と後枠板によって枠囲いして上方開口した塵芥収納部を主要部に成し、前記塵芥収納部の上方開口部に、該塵芥収納部の前後方向に分割されて相互の重合姿勢と連続姿勢が可能の可動蓋板群を前記右側枠板と前記左側枠板の間に渡設し、該可動蓋板のそれぞれは該右側枠板と該左側枠板の上端部位に敷設した案内レールに上方抜け止め形態に個別に装着され、前記可動蓋板群によって前記上方開口部の全閉鎖と開放を可能に成す構造のコンテナ式塵芥車用コンテナにおいて、前記重合姿勢の最内側の前記可動蓋板の内側に重合してスライド自在に支承され、前記塵芥収納部の塵芥搬入路側への引き出しセットと前記最内側の可動蓋板への重合収納を可能にした防雨庇板を設けた構造を特徴とするコンテナ式塵芥車用コンテナ。
【請求項２】
長方形の底板の４周を、ドア形態の前枠板と右側枠板と左側枠板と後枠板によって枠囲いして上方開口した塵芥収納部を主要部に成し、前記塵芥収納部の上方開口部に、防雨用蓋板を設けた構造のコンテナ式塵芥車用コンテナにおいて、前記防雨用蓋板に重合してスライド自在に支承され、前記塵芥収納部の塵芥搬入路側への引き出しセットと防雨用蓋板への重合収納を可能にした防雨庇板を設けた構造を特徴とするコンテナ式塵芥車用コンテナ。
【請求項３】
可動蓋板または防雨用蓋板が、側壁板間の中高円弧形状から成る請求項１または請求項２のいずれかに記載のコンテナ式塵芥車用コンテナ。
【請求項４】
防雨庇板または前枠板に、閉鎖状態の前枠板の上端と前記防雨庇板との隙間を塞ぐ防雨補助板を付設した請求項１〜請求項３のいずれかに記載のコンテナ式塵芥車用コンテナ。
【請求項５】
防雨庇板に対して、防雨補助板が垂設・跳ね上げセット自在構造である請求項４に記載のコンテナ式塵芥車用コンテナ。
【考案の詳細な説明】
【技術分野】
【０００１】
本考案は、百貨店・工場・工事現場等で多量の「廃棄物ごみ」を出すところで、その「ごみ」を定置した上方開口箱型のコンテナに投入し、満積となった該コンテナをコンテナ式塵芥運搬車に積み込んで所定場所へ運搬して「ごみ廃却」するのに反復使用するコンテナ式塵芥車用コンテナに関するものである。
【背景技術】
【０００２】
広く使用されているコンテナ式塵芥車用コンテナ３０（以下、単にコンテナ３０という）は（図６参照）長方形の底板２の４周側縁に「投入ごみの搬入路として利用するドア形態の前枠板３と開閉ドア構造の後枠板４と側枠板５によって枠囲いして上方開口した長方箱形態の構造から成り、その前枠板３の外側上方部位に運搬車への「引き上げ用掛止部７」を備えると共に、底板２の後端近傍に後述するコンテナ式塵芥運搬車３１に積み込みするときに転動させる支承輪８と底板２の前端下側の支承脚９を設けた構造を有している。
【０００３】
そして、そのコンテナ３０に工場・工事現場等の産業廃棄物等を投入して満載になると、コンテナ式塵芥運搬車３１（以下、単に塵芥車３１という）のラガー３２を掛止部７に掛け止めした前方を引き上げて後部を支承輪８で支える傾斜姿勢にして塵芥車３１の車体に引き上げて積み込み、しかるのち廃却場へ運搬し、ラガー３２で前方部分を引き上げて傾斜姿勢にして、後枠板４をドア開放した後部からコンテナ３０内の廃棄物ごみを滑り出し放出し、しかるのち、その放出ごみＤを「紙類・樹脂類・金属類・木材類・缶類・びん類」等の所定の分別区分に分別処理して廃却処分する。そして、空になったコンテナ３０を元の位置に返送運搬して復帰させて反復使用する。
【０００４】
そして、その公知例のコンテナ３０において、工場等に定置して「廃棄物ごみ」を順次投入して満積状態に達するには相当の日時を要し、雨水がコンテナ３０内に降り込んで「投入ごみが降り込んだ雨水で汚濁化したり、投入ごみと接触した汚濁雨水を垂れ流して公害をもたらす」不具合があると共に、前記の放出ごみＤの分別整理作業は雨水で「ビタビタ」した汚濁化状態のものを手作業分別する作業となるので、極めてやりづらい難作業にして、ごみ分別廃却の作業性を著しく害する。
【０００５】
さらに、従来のコンテナ３０は無蓋箱形態であることから、工場等の定位置設置中やごみ廃却場への運搬中に「軽量ごみ」が風によって飛散する不具合があり、これを防止する為には押え用シートカバーを必要に応じていちいち着脱する必要があり、極めて面倒にして多大の手数がかかる。
【０００６】
以上の実情から特許文献１に示す「有蓋構造のコンテナ３０」の背景技術がある。即ち、この有蓋構造のものは（図５参照）対向する側板５上のレール１６に沿って側板５の長手方向にスライド移動する凸円弧形の複数個（図示のものは１１Ａ〜１１Ｄの４個）可動蓋板１１を設けて、その可動蓋板１１群を重合させて後枠部４側に集合セットして、図４（Ａ）のようにコンテナ３０の上方を開口したり、その可動蓋板１１Ａ〜１１Ｄをスライドさせて図４（Ｂ）のように相互連設状態にしてコンテナ３０の上方開口部を全閉形態にする屋根板として機能させる構造を特徴としている。
【０００７】
【特許文献１】特開２００４−０３５２０９公報（特願２００２−１９６６３１）
【考案の開示】
【考案が解決しようとする課題】
【０００８】
以上技術背景のコンテナは、コンテナ本体上方への降雨浸水が可動蓋板１１群によって防止できるものの、塵芥搬入側の前枠板３は開閉扉構造にして、塵芥搬入の便宜を考慮して常に解放した状態にしておくので、その開放部分から「しけ降り等の雨水」が降り込んで段落０００４に示す不具合をもたらす難点がある。
【０００９】
本考案は、以上の背景技術の難点を解消するコンテナを提供するものである。
【課題を解決するための手段】
【００１０】
以上の技術課題を解決する本考案のコンテナは「長方形の底板の４周を、ドア形態の前枠板と右側枠板と左側枠板と後枠板によって枠囲いして上方開口した塵芥収納部を主要部に成し、前記塵芥収納部の上方開口部に、該塵芥収納部の前後方向に分割されて相互の重合姿勢と連続姿勢が可能の可動蓋板群を前記右側枠体と前記左側枠板の間に渡設し、該可動蓋板のそれぞれは該右側枠板と該左側枠板の上端部位に敷設した案内レールに上方抜け止め形態に個別に装着され、前記可動蓋板群によって前記上方開口部の全閉鎖と開放を可能に成す構造のコンテナ式塵芥車用コンテナにおいて、前記重合姿勢の最内側の前記可動蓋板の内側に重合してスライド自在に支承され、前記塵芥収納部の塵芥搬入側への引き出しセットと前記最内側の可動蓋板への重合収納を可能にした防雨庇板を設けた構造」の第１考案のコンテナと、
【００１１】
「長方形の底板の４周を、ドア形態の前枠板と右側枠板と左側枠板と後枠板によって枠囲いして上方開口した塵芥収納部を主要部に成し、前記塵芥収納部の上方開口部に、防雨用蓋板を設けた構造のコンテナ式塵芥車用コンテナにおいて、前記防雨用蓋板に重合してスライド自在に支承され、前記塵芥収納部の塵芥搬入路側への引き出しセットと防雨用蓋板への重合収納を可能にした防雨庇板を設けた構造」の第２考案のコンテナが特徴である。
【００１２】
即ち、前記構成の本考案のコンテナは「廃棄物ごみ」をコンテナ内へ搬入するときの搬入開口部位（ごみ搬入路確保のために９０°開きにした前枠板３によって開口した部分）の上方に前記防雨庇板を引き出しセットすることによって当該開口部分からコンテナ本体内への雨水の降り込み防止を図る思想から成るものである。
【考案の効果】
【００１３】
前記構成の本考案のコンテナは、ごみ搬入路となるコンテナの側壁開放部分に、前記防雨庇板を必要に応じて引き出しセットすることができるので、その側壁開放部分からの雨の降り込みが有効に防止され前記難点が解消できる。そして、その防雨庇板は不必要時にはコンテナ上部へ押し込み収納セットできるので、ごみ搬入作業を妨げるおそれはない。
【考案を実施するための最良の形態】
【００１４】
以下、好ましい実施例を説明する。
【実施例】
【００１５】
まず（図１・図２参照）、前記第１考案の１実施例のコンテナ式塵芥車用コンテナ１（以下、単にコンテナ１という）を説明する。即ち前記従来物と同様に、下側に支承輪８と支承脚９を有する長方形板の底板２の周縁に「掛止部７を外面に有する片開きドア形態の前枠板３」と、前枠板３と対向する「両開き形態の後枠板４」と、この前枠板３・後枠板４を連結する左右の側枠板５」を立設して、枠囲いして上方を開口する塵芥収納部１０を主要部に成すコンテナ１において、この塵芥収納部１０の上方開口部の全面閉鎖と部分解放を自在に成す屋根板の可動蓋板１１群が設けられている。
【００１６】
詳しくは、可動蓋板１１群は塵芥収納部１０の長さ方向を分割し、かつ左右の側枠板５の上端間に渡設した屋根板にして、塵芥収納部１０の長さ方向に個別に移動できる４個の可動蓋板１１Ａ〜１１Ｄの集合によって構成されており、この４個の可動蓋板１１Ａ〜１１Ｄ群は下記詳述の可動手段を備えている。
【００１７】
即ち、可動蓋板１１Ａ〜１１Ｄのそれぞれは（図２（Ａ）参照）外側凸円弧形の屋根板１３の両側に垂板のスカート部１４を有する共通形状にして、後枠板４側の最後端の１１Ａから前枠板３側の最先端の１１Ｄへ前記共通形状を漸減する相似形状を有して、１１Ａ・１１Ｂ・１１Ｃ・１１Ｄに順列して上方開口部を全閉した状態において、相互隣接の１１Ａ・１１Ｂと１１Ｂ・１１Ｃと１１Ｃ・１１Ｄの相互の縁部が若干量重合するオーバーラップ部を有し、さらに、その可動蓋板１１Ａ〜１１Ｄのそれぞれのスカート部１４の下端には後述する案内レール１６に装着する移動ローラーＲが取着されている。
【００１８】
一方、左右の側枠板５の上端の台部１５には「可動蓋板１１Ａ〜１１Ｄに区画して４個並設されて、可動蓋板１１Ａ〜１１Ｄのそれぞれのスカート部１４のみを遊挿するスカートスリット１７を上縁部に切設した方形管体の案内レール１６」が敷設固定されており、この案内レール１６と移動ローラーＲによって前記可動手段を構成し、可動蓋板１１Ａ〜１１Ｄのそれぞれは両側のスカート部１４を案内レール１６に装着してセットされ、移動ローラーＲを介して案内レールに沿って案内レール１６の概ね全長を個別に移動可能にして、かつ、上方抜け止め状態（上方へ抜けようとすると移動ローラーＲが案内レール１６の上縁部に係合する）に装着されている。
【００１９】
なお、案内レール１６の端部は着脱自在のストッパーが付設された開口形態にして、この開口部から可動蓋板１１Ａ〜１１Ｄの装着と外しができる。そして、可動蓋板１１Ａ〜１１Ｄのそれぞれのスカート部１４の後端部位には前記の移動操作をし易くするためのＬ字状の操作把手Ｈが突設されており、以上の可動蓋板１１Ａ〜１１Ｄによって塵芥収納部１０の上方開口部を全閉・半開または全開状態にセットする構造は特許文献１のものと同一構造である。
【００２０】
以上の可動蓋板１１つきコンテナ１において、この実施例のものは前記重合形態の最内側に配設されて、塵芥収納部１０の前枠板３部位に覆せる可動蓋板１１Ｄの内側に下記詳述の防雨庇板１８が設けてある。
【００２１】
即ち防雨庇板１８は、（図２参照）可動蓋板１０Ｄと相似形状にして可動蓋板１１Ｄの内側とクリアランスＣを介してスライド自在に支承されており、円弧形の屋根板１３の両側のスカート板１４が可動蓋板１１Ｄのスカート板１４の内側に設けたＵ字支承溝１９に支承されている。
【００２２】
そして（図１（Ｂ）参照）可動蓋板１１Ｄの前端からスライド引き出して可動蓋板１１Ｄと連続する防雨庇として機能させたり、可動蓋板１１Ｄの内側へ収納するスライド押し込みが可能に設定されており、塵芥収納部１０の上方を開口するときは、可動蓋板１１Ｂ〜１１Ｄと防雨庇板１８を最大サイズの可動蓋板１１Ａの内側へ重合させてコンパクトにセットする。
【００２３】
なお、この実施例（図１（Ｃ）参照）の前枠板３は、方形状の前枠板３の上端に弓形状の防雨補助板２１が一体に設けてあり、防雨庇板１８を押し込みセットしたとき、その防雨庇板１８と前枠板３の上端間に生ずる空隙を閉じて塵芥収納部１０への雨水浸入を防止する構造に設定されている。そして、図示しないが後枠板４も防雨補助板が設けてあり、この実施例のものは底板２から可動蓋板１１までの高さが約２，０００粍のサイズである。
【００２４】
続いて前記第２考案の１実施例のコンテナ１を説明する。（図３参照）この実施例のコンテナ１は塵芥収納部１０の上端開口部に、該開口部の全体に覆せた一体物の蓋板１２を備えたコンテナ１において、その蓋板１２の一端に「前記実施例と同一の防雨庇板１８」がスライド引き出しセット・スライド押し込みセット自在に設定されている。
【００２５】
以上の構造のコンテナ１は、前枠板３または後枠板４の開放部分を搬入通路として塵芥収納部１０へ「廃棄物ごみＤ」を搬入収納するとき、塵芥収納部１０の上方開口部を可動蓋板１１Ａ〜１１Ｄ・蓋板１２によって全閉すると共に、その可動蓋板１１Ｄ・蓋板１２から防雨庇板１８を引き出しセットすることができるので、前記搬入通路からの塵芥収納部１０内への「有害な雨降り込み」が有効に防止される。
【００２６】
そして、前枠板３は防雨補助板２１が存在するので、前枠板３を閉じたときの前枠板３部位の雨降り込み隙間はなく、塵芥収納部１０を完全な防雨状態に維持可能となり、前記の「本考案が解決すべき技術課題」が良好に解消できる。さらに、防雨庇板１８は天候によって「取り外したり、嵌めたり」する面倒な手作業の必要がなく、必要に応じて「引き出しセット・押し込みセット」すれば良いのでコンテナ１の日常管理が特段にし易くなる。以上の作用効果がある。
【００２７】
続いて、図４を参照して本考案の他の実施例を説明する。即ち、図１・図３実施例と同様な防雨庇板１８を備えたコンテナ１において、図４（Ａ）に示すものは防雨庇板１８の前端に「前枠板３上縁と防雨庇板１８との間隙」を塞ぐ防雨補助板２１がヒンジ部２２を介して開閉自在に設けてあり、この防雨補助板２１は図示のように防雨庇板１８に対して垂直にセットしたり垂れ下げたり、または防雨庇板１８の延長姿勢に自在にセットロックできる。この図４（Ａ）のものは、その延長姿勢にセットすることによって防雨庇板１８の実質長を一段と長くして防雨作用の一段の向上ができる。
【００２８】
一方図４（Ｂ）に示すものは、防雨庇板１８を最内側に入れて重合セットした可動蓋板１１群をワンブロックにして「手動引き起こし手段」等によって後枠板４の上方へ「引き起しセット」自在にした構造に設定されている。この図４（Ｂ）のものは、その「引き起しセット」によって塵芥収納部１０の全面開口が自在になる。
【００２９】
なお、本考案のコンテナ１は以上の実施例に限定されず、可動蓋板１１群のスライド移動手段を、引用文献１のものと同様に移動ローラーＲに代るスライドロッドにしたり、電動手段または手動ハンドルによるスライド移動機構にすることがあり、さらに、可動蓋板１１Ａ〜１１Ｄ・蓋板１２は、前記円弧形状に代る３角形屋根形状等にすることがあり、さらに、前記後枠板側を塵芥搬入側に成して防雨庇板１８を設けることがある。
【図面の簡単な説明】
【００３０】
【図１】第１考案１実施例の塵芥車用コンテナを示し、（Ａ）はその全体斜視図、（Ｂ）は防雨庇板を引き出しセットした状態の斜視図
【図２】図１実施例の塵芥車用コンテナの可動蓋板の構造の説明の要部部分側面図
【図３】第２考案１実施例の塵芥車用コンテナの構造説明図
【図４】本考案の塵芥車用コンテナの他の実施例の部分説明図
【図５】従来の塵芥車用コンテナを示し、（Ａ）（Ｂ）はその全体斜視図、（Ｃ）は部分斜視図
【図６】従来の塵芥車用コンテナの構造と使用方法の説明図
【符号の説明】
【００３１】
１  コンテナ
２  底板
３  前枠板
４  後枠板
５  側枠板
７  係止部
１０  塵芥収納部
１１Ａ〜１１Ｄ  可動蓋板
１３  屋根板
１４  スカート部
１５  台部
１６  案内レール
１７  スカートスリット
１８  防雨庇板
１９  Ｕ字支承溝
２１  防雨補助板
３０  従来のコンテナ
Ｄ  廃却ごみ
Ｈ  操作把手
Ｒ  移動ローラー
【図１】
0003113811.tif 000003
【図２】
0003113811.tif 000004
【図３】
0003113811.tif 000005
【図４】
0003113811.tif 000006
【図５】
0003113811.tif 000007
【図６】
0003113811.tif 000008